(57)【特許請求の範囲】
【請求項１】
略等間隔で＋極、制御入力ピン側と導通する回路が交互にプリントされたフレキシブルプリント基板（１）と、
該プリント基板（１）の回路と接続された電池（３）及び発光ダイオード（４）と、該電池（３）及び発光ダイオード（４）と接続された、一時的にプリント基板の＋側と制御入力ピンとが短絡した時に回路を導通させる自己保持回路とからなる検知回路と、
弾力性のある素材からなり先端部が円錐状で後半部が円柱状からなる挿入部材（５）とからなり、前記挿入部材（５）の少なくとも円錐状の先端部を覆うようフレキシブルプリント基板に接着すると共に円柱状の挿入部に検知回路を装着したことを特徴とする配管損傷検知のための装置。
【請求項２】
略等間隔で＋極、制御入力ピン側と導通する回路が交互にプリントされたフレキシブルプリント基板（１）を円錐状の挿入部を覆うように接着し、該プリント基板（１）の回路と接続された電池（３）及び発光ダイオード（４）と、該電池（３）及び発光ダイオード（４）と接続された、一時的にプリント基板の＋側と制御入力ピンとが短絡した時に回路を導通させる自己保持回路とからなる検知回路を円柱状の挿入部に装着してなる装置において、
検査対象となる配管（６）の一端に前記装置を装填し、配管の他端に回収袋（７）を装着した状態で前記装置を通過させて、もしプリント基板が一時的に短絡された場合にのみ回路の発光ダイオードが点灯することを利用して配管内の損傷を検知することを特徴とする配管損傷検知の方法。
【請求項３】
配管内を通過させる方法として、配管端部より装置を装填した後に、空気圧を利用して装置を他端部まで押し出すことを特徴とする請求項２記載の配管損傷検知の方法。
【請求項４】
フレキシブルプリント基板と検知回路とを巻き取り式寸法目盛り入りの長尺配線を介して導通させたことを特徴とする請求項１記載の配管損傷検知のための装置。
【発明の詳細な説明】
【０００１】
【発明の属する技術分野】
本発明は、配管損傷検知の方法及び配管損傷検知のための電子回路（弾丸状）に関するものであり、さらに詳しくは、電気絶縁性の高い配管における損傷検知のために設計、製造された瞬時に金属等の導電性のものによる微小な配管の損傷を検知できる配管損傷検知の方法及び検知のための装置に関している。
【０００２】
【従来の技術】
従来、配管損傷検知の方法としては、検査対象となる配管又は、配管網の一端部に圧力計を水密に接続し、他端部より水道水を注ぎ、およそ２Kg/cm2の圧力で配管又は、配管網内に加圧し、その後１５分の間、内部の水圧が下がるか否かを圧力計で読み取ることで、配管損傷検知をする方法が採られている。
一方、マンション等の給湯、給水管は、床施工後でフローリング施工前に取り付けられるが、フローリング施工中に取り付けた給湯、給水配管を金属製の釘で誤って打ち抜く等の事故も多い。
このような給湯、給水配管の損傷をフローリング施工後に修理するためにはそのフローリングを取り外す必要があり、そのための手間及びコストが問題となっている。
また、従来の検査方法では、給湯、給水配管等は架橋ポリエチレン樹脂製等で、出来ており、万が一配管に釘打ちされていても、配管の肉厚が、1.8mm〜4.2mmと厚いため、釘と樹脂が密着してしまい、釘打ち当初はその部分からの漏れは殆どなく配管損傷が発見されないまま最終検査に合格してしまう場合がある。
しかし、居住者が入居して数年後には釘が錆びて抜け落ちることになり、釘打ち部に穴が開きその部分からの水漏れが起こり、長期間、気がつかないままでいると天井裏には大量の水がたまることになる。その結果、階下の天井が落ち、居住者の家財が水浸しになる事故が起きており、補償問題が発展している現状がある。
【０００３】
【発明が解決しようとする課題】
本発明が解決しようとする課題は、仮床施工後配管内に水道水で加圧し、１５分の間、監視するような作業を不要にし、該電子回路（弾丸状）を配管内を通過させることにより、釘打ち事故等による微小な配管損傷の有無の検知結果が瞬時に検知可能な配管損傷検知の方法、及び配管損傷検知のための装置を提供することである。
【０００４】
【課題を解決するための手段】
すなわち本発明は、略等間隔で＋極、制御入力ピン側と導通する回路が交互にプリントされたフレキシブルプリント基板と、該プリント基板の回路と接続された電池及び発光ダイオードならびに該電池及び発光ダイオードと接続された、一時的にプリント基板の＋側と制御入力ピンとが短絡した時に回路を導通させる自己保持回路とからなる検知回路と、弾力性のある素材からなり先端部が円錐状で後半部が円柱状からなる挿入部材とからなり、前記挿入部材の少なくとも円錐状の先端部を覆うようフレキシブルプリント基板に接着すると共に円柱状の挿入部に検知回路を装着した配管損傷検知のための装置により本目的を達成する。
また検知方法としては前記装置を用いて電気絶縁性の配管に該検知装置を通過させ、万一導電性の釘等によりフレキシブルプリント基板を短絡した時に発光ダイオードが点灯する作用を利用して、配管内の釘打ち抜き等による損傷を検知しようとするものである。
【０００５】
【発明の実施の形態】
以下に本発明を図示された実施例に従って詳細に説明する。
図１は配管損傷検知の方法の装置を示す図で、１は略等間隔で＋極及び制御入力ピン側とが接続され、交互で両者が接触しないように描かれたフレキシブルプリント基板であり、該プリント基板１の＋極及び制御入力ピン側と導線を介して検知回路２と接続されている。検知回路２は、＋極及び制御入力ピン側と電池３、リセットスイッチ及び発光ダイオード４並びに該発光ダイオード４を保護するための抵抗R1と接続された回路と、該回路の電池３、リセットスイッチ及び発光ダイオード４並びに抵抗R1と接続された自己保持回路９とからなる。本実施例では自己保持回路は、ＩＣ（例えばTC7S66F）と前記発光ダイオード４・電池３間と前記ＩＣの自己保持部と抵抗R2を介して接続されており、＋極及び制御入力ピン側とが一時的に短絡された時にダイオード４が点灯するように作用する。すなわち、短絡された時に抵抗R2の存在により自己保持部への入力信号が”１”となり、自己保持回路が作動して内部のスイッチをＯＮの状態とする。
本発明の電子回路は、ＩＣ（集積回路）回路でアナログスイッチを図１のように配線し、自己保持回路を構成してる。
【０００６】
フレキシブルプリント基板１はプラス側電極と制御入力ピン側が交互に配置され、その間隔は、100 μm 以下の間隔になるように銅箔がエッチングされている。その電極は自己保持回路の入力側に接続されている。
また、フレキシブルプリント基板１の電極部の銅箔に金メッキを施せば非常に電気的接触抵抗が少ないのでより効果的である。
本実施例では、検知回路ではアナログスイッチ用のＩＣ回路を採用しているが電極の接触時にチャタリングを起こさなく自己保持機能が有れば、リセット・セット・フリップフロップ回路等も採用できるので、同様の効果を有すれば、自己保持回路方式は限定されるものではない。
尚、プリント基板１は図３に示すように＋極と導通した部分と制御入力ピン側と導通した部分とを略等間隔でプラス側電極、制御入力ピン側が交互になるように描かれている。描くに際して、プラス側電極回路と制御入力ピン回路の間隔は、狭い間隔となるように設計するのが好ましい。
【０００７】
電池３は、ＩＣ回路の電源でアナログスイチ回路及び発光ダイオードの点灯に十分な電力を供給する。発光ダイオード４は点灯することにより、配管の損傷を検知する。発泡ポリマー５は、電子回路の保護およびエアー圧力による配管内通過のためにある程度の気密性を持たしている。検査対象となる配管６は電気的絶縁性の高い配管である。回収袋７は、検査時に挿入部材５（弾丸状）の紛失防止のために設けられた回収用袋で、網状の構造となっている。
図２に示すものは弾性体からなり、先端部が円錐状で後半部が円柱状からなる挿入部材５（例えば発泡ポリマーからなる）に前記フレキシブルプリント基板１及び検知回路２を装着した状態を示すものであり、前記挿入部材５の円錐部を全て覆うようにプリント基板１を接着剤等により貼着しており、また検知回路２は前記円柱状の挿入部材５に埋め込む等の手段により装着している。
本実施例では、挿入部材５（弾丸状）の円錐状の表面は、フレキシブルプリント基板１で覆うように構成したが、非常に間隙が狭く電気導電性の良い効果を有すれば、材質は限定されるものではない。また挿入部材５も発泡ポリマーで構成したが同等の効果を有すれば、材質は限定されるものではない。
【０００８】
次に図４に示すものは、検査方法を示す模式図であり略内径が同一の構成からなる電気絶縁性の配管６の一端に図２に示すようなプリント基板１及び検知回路２を装着した弾丸としての挿入部材５を装填し、他端に回収袋７を装着したもので、前記配管６の一部には導電性の部材からなる釘10が配管６を貫通して打ち抜かれた状態を示す。また配管６の挿入部材５側より圧縮空気供給装置８を介して圧縮空気が送出される構成となっている。
本実施例では、検知回路の電源として電池３を使用しているが、フレキシブル基板（センサー部・弾丸状）の後部より巻き取り式寸法目盛り入りの長尺配線を設け、配線端部に検知回路２を設けて挿入側の手元で、配管損傷の有無と損傷の位置確認ができる配管損傷検知の装置としてもよい。
【０００９】
以上述べた構成において本発明の実施例にかかる装置では、検査対象となる配管６の一端部より、該挿入部材５を装填し、圧縮空気供給装置８等により、圧縮空気送風し、該挿入部材５を配管内に通過させ、回収袋７に回収する。その時に釘10等の電気導電性のある物体に接触した場合、非常に間隙の狭いパターン同士が一瞬ショート（短絡）することになり、アナログスイッチ回路が作動し、発光ダイオード４が点灯する。発光ダイオード４は自己保持回路により、ホールドされ点灯したままとなる。検査対象となる配管の損傷が軽微である場合は該挿入部材５が通過して、回収袋７に回収されるので、発光ダイオード４の点灯を確認することができる。
【００１０】
検査対象となる配管６の損傷が著しい（釘等が配管全体を貫通している場合）場合は、該挿入部材５が通過することができない。その場合は、他端部より、エアーを送風して取り出すことができる。その場合にも発光ダイオード４は自己保持回路により、ホールドされ点灯したままとなるので、検査対象となる配管の損傷を瞬時に検知できる。また、配管６の損傷がない場合は、発光ダイオード４は点灯せず、配管損傷のないことが確認でき、電池３は消耗しないので何度でも再利用ができる。
【００１１】
本発明の配管損傷検知のための方法を詳しく説明すると、被検査配管内を該挿入部材５がエアー圧力により通過する時、配管６内に電気導電性のある物体（例えば釘）10が存在した場合、フレキシブルプリント基板１の電極は、図３に示すようにプラス側電極と、制御入力ピン側が交互に配置されそのギャップは 100μm 以内の間隔で設けられており、例えば、釘の先端部（通常、300 μm 程度の太さ）が接触すると電極間は、図５に示すように短絡することになる。
該電極は、自己保持回路入力側のアナログスイッチのＯＮ／ＯＦＦ制御ピンに接続されており、その信号が加えられたことによりアナログスイッチがＯＮとなり、発光ダイオード４には電源が供給され点灯することになる。
また、アナログスイッチが作動したことにより、自己保持機能が作動し同スイッチはホールドされ発光ダイオードは点灯したままとなる。
尚本実施例では、発光ダイオード４を検査前に消灯させ、異常を発見した時に発光ダイオード４が点灯するように構成したが、これに限定されるものではなく検査前にダイオードを点灯させておき、何等かの事情で電極間が短絡した時にアナログスイッチがＯＦＦとなるように構成しても良い。
【００１２】
以上のように本発明の実施例にかかる装置を使用すれば、該挿入部材５の発光ダイオード４が点灯するか否によって配管の損傷（釘打ち事故等）を瞬時に検知することができる。
尚本実施例では、検知回路が装着された挿入部材を回収袋に回収した後に、目視によりダイオードが発光しているか否により、配管に損傷があるか否の判断を行うようなもので構成したが、発光ダイオードの端部に長尺の光ファイバーを接続し、該部材を配管内において徐々に通過させることにより発光状態を確認しながら移動させるように構成することも可能である。
かかる場合には、長尺光ファイバーの送り出し長さにより損傷部を確認することも可能となる。
このアナログスイッチは、機械的なスイッチと異なり、時間的な遅れ及び接触時のチャタリング（不安定状態）を起こすことはなく電源電圧の２／３を越える入力電圧が一瞬でも加えられれば自己保持回路が作動することになる。
本発明の配管損傷検知のための方法は、検査配管の損傷検知が瞬時に行えるので検査配管が多数存在する場合であっても、短時間で検査終了することができ、低コストで検知確率の高い検査方法となる。
【００１３】
【発明の効果】
本発明の配管損傷検知の方法は、弾性体からなる挿入部材にフレキシブルプリント基板及び検知回路を組み込んだ装置であることから、超小型で軽量のため、配管工事現場までの持ち込みが容易であると共に、検査後、瞬時に配管損傷を検知することができるので、多数の配管を検査する場合に、短時間で終了できる効果がある。
本発明の配管損傷検知のための電子回路は、低コストに製造できると共に何度も再利用できるので、検査費用の低減に効果がある。
【図面の簡単な説明】
【図１】  アナログスイッチの自己保持回路採用した検知回路の回路図である。
【図２】  挿入部材（弾丸）を示す正面図である。
【図３】  検知用電極のプリントパターンの１実施例を示す正面図である。
【図４】  配管に対する本発明の配管検知の方法を示す模式図である。
【図５】  電極間の短絡状態を示す正面図。
【符号の説明】
１    フレキシブルプリント基板
２    ＩＣ回路部
３    電池
４    発光ダイオード
５    発泡ポリマー
６    検査対象となる配管
７    回収袋
８    圧縮空気供給装置
10    釘
【図１】
0003688451.tif 000002
【図２】
0003688451.tif 000003
【図３】
0003688451.tif 000004
【図４】
0003688451.tif 000005
【図５】
0003688451.tif 000006